(57)【特許請求の範囲】
【請求項１】
少なくとも記録情報を記録するための第１記録トラックが形成された第１記録層と、
前記第１記録トラックに対応すると共に、前記記録情報を記録するための第２記録トラックが形成された第２記録層と
を少なくとも備えており、
前記第１記録層における一の記録領域と、該一の記録領域と対向する位置にある前記第２記録層における他の記録領域とを含むゾーンの記録単位で、前記記録情報を記録するための管理情報を記録するための管理情報記録エリアを備え、
前記管理情報記録エリアには、前記管理情報として、前記ゾーンを特定するための前記第１記録トラックにおける開始位置及び終了位置を示す第１開始アドレス及び第１終了アドレス、並びに、当該特定されたゾーンにおける記録済み領域と未記録領域との境界位置を示す境界アドレスが記録されることを特徴とする情報記録媒体。
【請求項２】
前記管理情報記録エリアには、前記管理情報として、前記ゾーンを特定するための前記第１記録トラックにおける開始位置及び終了位置を示す第１開始アドレス及び第１終了アドレス、前記第２記録トラックにおける開始位置を示す第２開始アドレス、並びに、当該特定されたゾーンにおける記録済み領域と未記録領域との境界位置を示す境界アドレスが記録されることを特徴とする請求項１に記載の情報記録媒体。
【請求項３】
前記管理情報記録エリアには、前記管理情報として、前記ゾーンを特定するための前記第１記録トラックにおける開始位置及び終了位置を示す第１開始アドレス及び第１終了アドレス、前記第２記録トラックにおける終了位置を示す第２終了アドレス、並びに、当該特定されたゾーンにおける記録済み領域と未記録領域との境界位置を示す境界アドレスが記録されることを特徴とする請求項１に記載の情報記録媒体。
【請求項４】
前記管理情報記録エリアには、前記管理情報として、前記ゾーンを特定するための前記第１記録トラックにおける開始位置及び終了位置を示す第１開始アドレス及び第１終了アドレス、前記第２記録トラックにおける開始位置及び終了位置を示す第２開始アドレス及び第２終了アドレス、並びに、当該特定されたゾーンにおける記録済み領域と未記録領域との境界位置を示す境界アドレスが記録されることを特徴とする請求項１に記載の情報記録媒体。
【請求項５】
前記第１記録トラックの記録方向と、前記第２記録トラックの記録方向とは反対方向であることを特徴とする請求項１から４のうちいずれか一項に記載の情報記録媒体。
【請求項６】
前記第１記録トラックの記録方向と、前記第２記録トラックの記録方向とは同じ方向であることを特徴とする請求項１から４のうちいずれか一項に記載の情報記録媒体。
【請求項７】
請求項１から６のうちいずれか一項に記載の情報記録媒体に対して、前記記録情報を記録するための情報記録装置であって、
前記記録情報を、前記第１記録層及び前記第２記録層のうち少なくとも一方に記録可能な記録手段と、
前記管理情報を前記管理情報記録領域から読み出す読出手段と、
前記読み出された管理情報に基づいて前記記録情報を記録するように、前記記録手段を制御する制御手段と
を備えることを特徴とする情報記録装置。
【請求項８】
前記記録情報の記録の対象となる一のゾーンを予約する予約手段を更に備え、
前記制御手段は、前記予約された一のゾーンに対して、前記記録情報を記録するように、前記記録手段を制御することを特徴とする請求項７に記載の情報記録装置。
【請求項９】
前記記録情報の記録と同時に又は相前後して、前記管理情報を更新する更新手段を更に備えることを特徴とする請求項７又は８に記載の情報記録装置。
【請求項１０】
前記情報記録媒体は、前記第１記録層及び前記第２記録層において、
（ｉ）前記ゾーンを複数含むデータエリアと、
前記記録情報の少なくとも一部である緩衝用データを記録することで形成されると共に、前記第１記録層及び前記第２記録層に対する記録又は再生位置が未記録領域へ外れることを防止するための（ｉｉ）半径位置が固定された固定緩衝用エリア、（ｉｉｉ）前記固定緩衝用エリアの内周側に配置され、前記データエリアに隣接して配置可能であると共に、可変長である可変緩衝用エリア、（ｉｖ）リードインエリア、及び（ｖ）リードアウトエリアのうち少なくとも一つとを更に備え、
前記制御手段は、前記情報記録媒体に対するファイナライズ指示に応答して、前記緩衝用データを、前記少なくとも一つを形成するように、前記記録手段を制御することを特徴とする請求項７から９のうちいずれか一項に記載の情報記録装置。
【請求項１１】
請求項１から６のうちいずれか一項に記載の情報記録媒体に対して、前記記録情報を、前記第１記録層及び前記第２記録層のうち少なくとも一方に記録可能な記録手段を備えた情報記録装置における情報記録方法であって、
前記管理情報を前記管理情報記録領域から読み出す読出工程と、
前記読み出された管理情報に基づいて前記記録情報を記録するように、前記記録手段を制御する制御工程と
を備えることを特徴とする情報記録方法。
【請求項１２】
請求項７から１０のうちいずれか一項に記載の情報記録装置に備えられたコンピュータを制御する記録制御用のコンピュータプログラムであって、該コンピュータを、前記記録手段、前記読出手段、及び前記制御手段のうち少なくとも一部として機能させることを特徴とするコンピュータプログラム。
【発明の詳細な説明】
【技術分野】
【０００１】
本発明は、例えばＤＶＤ等の情報記録媒体、ＤＶＤプレーヤ等の情報記録装置及び方法、コンピュータプログラムの技術分野に属する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、同一基板上に複数の記録層が積層されてなる多層型若しくはダブルレイヤ又はマルチプルレイヤ型の光ディスク等も開発されている。より具体的には、二層型の光ディスクは、一層目として、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。二層目として、該半透過反射膜の奥側に接着層等の中間層を介して位置する第２記録層（本願では適宜「Ｌ１層」と称する）を有しており、更にその奥側に位置する反射膜を有する。そして、このような多層型の情報記録媒体を作成する際には、Ｌ０層とＬ１層とを別々に形成し、最後に夫々の層を貼り合わせることで、低コストに二層型の光ディスクを製造することができる。【０００３】
そして、このような二層型の光ディスクを記録する、ＣＤレコーダ等の情報記録装置では、Ｌ０層に対して記録用のレーザ光を集光（或いは、照射）することで、Ｌ０層に対して情報を加熱などによる非可逆変化記録加熱などによる非可逆変化記録方式や書換え可能方式で記録し、Ｌ１層に対して該レーザ光を集光することで、Ｌ１層に対して情報を加熱などによる非可逆変化記録加熱などによる非可逆変化記録方式や書換え可能方式で記録することになる。【０００４】
【特許文献１】特開２００２−３５２４６９号公報
【発明の開示】
【発明が解決しようとする課題】
【０００５】
このような二層型の光ディスクにおいては、概して先ずＬ０層にデータ（記録情報）を記録し、Ｌ０層の全体にデータが記録された後に続けてＬ１層へデータを記録する。従って、Ｌ０層の全体にはデータが記録されていながら、一方でＬ１層にはその一部にしかデータが記録されていない状態が生ずる。このような状態で、例えば既存のＣＤ−ＲＯＭプレーヤ等において、当該光ディスクの再生を可能とするためのファイナライズ処理を行なうと、データが記録されていないＬ１層においてダミーデータを記録する必要がある。このため、実際に記録されたデータのサイズと比較してファイナライズ処理に要する時間が多いという技術的な問題点を有している。【０００６】
本発明は、例えば上述した従来の問題点に鑑みなされたものであり、例えば複数の記録層を有する情報記録媒体において、ファイナライズ処理をより迅速に行うことを可能とならしめる情報記録媒体、情報記録装置及び方法、並びにコンピュータをこのような情報記録装置として機能させるコンピュータプログラムを提供することを課題とする。
【課題を解決するための手段】
【０００７】
（情報記録媒体）
以下、本発明に係る情報記録媒体について説明する。【０００８】
本発明の情報記録媒体は上記課題を解決するために、記録情報を記録するための第１記録トラックが形成された第１記録層（Ｌ０層）と、前記記録情報を記録するための第２記録トラックが形成された第２記録層（Ｌ１層）とを備えており、前記第１記録層における一の記録領域と、該一の記録領域と対向する位置にある前記第２記録層における他の記録領域とを含むゾーンの記録単位で、前記記録情報を記録するための管理情報（ＲＭＤ）を記録するための管理情報記録エリア（ＲＭＡ）を備える。【０００９】
本発明の情報記録媒体によれば、この情報記録媒体は、例えば、ディスク状の基板の一方の面上に、少なくとも第１及び第２記録層が積層された二層型或いは多層型のＤＶＤ或いは光ディスク等である。第１記録層には、例えばグルーブ（案内溝）から構成された第１記録トラックに沿って、例えば音声、映像情報或いはコンテンツ情報等の記録情報が記録可能とされている。第２記録層には、例えばグルーブ（案内溝）から構成された第２記録トラックに沿って、例えば音声、映像情報或いはコンテンツ情報等の記録情報が記録可能とされている。このように構成されているので、記録又は再生用レーザ光は、基板、第１記録層及び第２記録層の順番に照射される。【００１０】
より具体的には、特に、第１記録トラックは、前述した基板の内周側及び外周側のうち一方側から他方側へと向かい、第２記録トラックも、第１記録トラックと同様に、一方側から他方側へと向かうように構成してもよい。即ち、当該二層型或いは多層型の情報記録媒体では、記録トラックが二つの記録層の間で同一方向を向いている「パラレル方式」による連続記録が可能とされる。このパラレル方式では、第１記録層における記録又は再生が終了されると、第２記録層における記録又は再生が開始される時に、例えば、光ディスクの最外周にある光ピックアップが再度、最内周へ向かって移動する必要があるため、後述されるオポジット方式と比較して、第１記録層から第２記録層への切り換え時間がその分だけ掛かってしまう。或いは、また、第１記録トラックは、例えば、ディスク状の基板の内周側及び外周側のうち一方側から他方側へと向かい、これとは逆に、第２記録トラックは、他方側から一方側へと向かうように構成してもよい。即ち、当該二層型或いは多層型の情報記録媒体では、記録トラックが二つの記録層の間で逆方向を向いているオポジット方式による連続記録が可能とされる。従って、第１記録層の終了端、即ち、外周側端部等の他方側端部に続いて第２記録層の開始端、即ち、外周側端部等の他方側端部へと、記録を連続的に行うようにすれば、情報に係る記録処理或いは再生処理の対象としての記録層を切り換える際に、基板面内におけるレーザ光の照射位置を半径方向に殆ど又は全く変えないで済むので、迅速な層間ジャンプ（即ち、層間切替動作）が可能となる。これは、例えば映画などの連続した記録情報を記録する際に、記録層の切り換えのために特別なバッファ機能を必要とすることなく、途切れのない再生を行うことが容易となるという意味で、実践上大変便利である。【００１１】
特に、本発明では、記録情報は、第１記録層の一の記録領域と、該一の記録領域と対向する位置にある第２記録層の他の記録領域とを含むゾーンの記録単位で記録される。ここに、本発明における「対向する」とは、第１記録層の一部と第２記録層の一部とが対応している、即ち同一位置関係のアドレスを有している場合の他、概ね同一程度のアドレスを有していると同視できる場合、更には偏心等も考慮した第１記録層の一部と第２記録層の一部との関係をも含む広い趣旨である。そして、このゾーンは、当該情報記録媒体中に複数含まれ、例えばＲＭＡ（Recording Management Area）等の管理情報記録エリアに記録されている、例えばＲＭＤ（Recording Management Data）等の管理情報に基づいて、一のゾーンを特定可能である。そして、一旦終了した記録動作に続いて、更に記録情報を追記する場合には、例えば第１記録層及び第２記録層の夫々内周側より新たなゾーンに記録情報を順次記録していく。このようにゾーン毎に記録情報が記録されるため、第１記録層の記録済みの記録領域と第２記録層の記録済みの記録領域との夫々の大きさ（サイズ）を概ね均等にすることが可能となる。このため、第１記録層の全体に記録情報を記録した後に第２記録層に記録情報を記録する情報記録媒体と比較して、ファイナライズ処理の際にダミーデータを記録する必要のある領域の大きさを減少させ或いはなくすことが可能となる。【００１２】
以上の結果、本発明に係る情報記録媒体によれば、ファイナライズ処理に掛かる時間は、例えばコンテンツ情報等の実効的な記録情報を記録する時間と概ね等しくなるため、大幅な記録時間の短縮が可能となり、ユーザの快適性の向上等に資することができるので、格段に有利である。【００１３】
本発明の情報記録媒体の一の態様では、前記管理情報記録エリア（ＲＭＡ）には、前記管理情報（ＲＭＤ）として、前記ゾーンを特定するための前記第１記録トラックにおける開始位置及び終了位置を示す第１開始アドレス及び第１終了アドレス、並びに、当該特定されたゾーンにおける記録済み領域と未記録領域との境界位置を示す境界アドレスが記録される。【００１４】
この態様によれば、少なくとも３つのアドレス等のパラメータによって、一のゾーンをより確実に特定することが可能である。【００１５】
本発明の情報記録媒体の他の態様では、前記ゾーンは、前記一の記録領域のデータ量と前記他の記録領域のデータ量とが、ランダムな配分と比較して等しくなる方向に近付けて構成され、前記管理情報記録エリア（ＲＭＡ）には、前記管理情報（ＲＭＤ）として、前記ゾーンを特定するための前記第１記録トラックにおける開始位置を示す第１開始アドレス、及び、当該特定されたゾーンにおける記録済み領域と未記録領域との境界位置を示す境界アドレスが記録される。【００１６】
この態様によれば、ゾーンの記録領域を、第１記録層と第２記録層とで概ね均等に配分することで、少なくとも２つのアドレス等のパラメータによって、一のゾーンを特定することが可能である。よって、管理情報のデータ量をより少なくすることが可能となる。【００１７】
本発明の情報記録媒体の他の態様では、前記管理情報記録エリア（ＲＭＡ）には、前記管理情報（ＲＭＤ）として、前記ゾーンを特定するための前記第１記録トラックにおける開始位置及び終了位置を示す第１開始アドレス及び第１終了アドレス、前記第２記録トラックにおける開始位置を示す第２開始アドレス、並びに、当該特定されたゾーンにおける記録済み領域と未記録領域との境界位置を示す境界アドレスが記録される。【００１８】
この態様によれば、少なくとも４つのアドレス等のパラメータによって、例えば外周側における偏芯等の半径位置の誤差の影響を殆ど又は完全に受けることなく、より確実に一のゾーンを特定することが可能である。【００１９】
本発明の情報記録媒体の他の態様では、前記管理情報記録エリア（ＲＭＡ）には、前記管理情報（ＲＭＤ）として、前記ゾーンを特定するための前記第１記録トラックにおける開始位置及び終了位置を示す第１開始アドレス及び第１終了アドレス、前記第２記録トラックにおける終了位置を示す第２終了アドレス、並びに、当該特定されたゾーンにおける記録済み領域と未記録領域との境界位置を示す境界アドレスが記録される。【００２０】
この態様によれば、少なくとも４つのアドレス等のパラメータによって、例えば内周側における偏芯等の半径位置の誤差の影響を殆ど又は完全に受けることなく、より確実に一のゾーンを特定することが可能である。【００２１】
本発明の情報記録媒体の他の態様では、前記管理情報記録エリア（ＲＭＡ）には、前記管理情報（ＲＭＤ）として、前記ゾーンを特定するための前記第１記録トラックにおける開始位置及び終了位置を示す第１開始アドレス及び第１終了アドレス、前記第２記録トラックにおける開始位置及び終了位置を示す第２開始アドレス及び第２終了アドレス、並びに、当該特定されたゾーンにおける記録済み領域と未記録領域との境界位置を示す境界アドレスが記録される。【００２２】
この態様によれば、少なくとも５つのアドレス等のパラメータによって、例えば外周側、及び内周側における偏芯等の半径位置の誤差の影響を殆ど又は完全に受けることなく、より確実に一のゾーンを特定することが可能である。【００２３】
本発明の情報記録媒体の他の態様では、前記第１記録トラックの記録方向と、前記第２記録トラックの記録方向とは反対方向である。【００２４】
この態様によれば、迅速な層間ジャンプ（即ち、層間切替動作）が可能となる。【００２５】
本発明の情報記録媒体の他の態様では、前記第１記録トラックの記録方向と、前記第２記録トラックの記録方向とは同じ方向である。【００２６】
この態様によれば、例えばプリフォーマットアドレスが同じ方向に記録された記録層によって、当該情報記録媒体を構成することが可能となる。【００２７】
（情報記録装置）
以下、本発明に係る情報記録装置について説明する。【００２８】
本発明の情報記録装置は上記課題を解決するために、上述した本発明の情報記録媒体（但し、その各種態様を含む）に対して、前記記録情報を記録するための情報記録装置であって、前記記録情報を、前記第１記録層及び前記第２記録層のうち少なくとも一方に記録可能な記録手段と、前記管理情報を前記管理情報記録領域から読み出す読出手段と、前記読み出された管理情報に基づいて前記記録情報を記録するように、前記記録手段を制御する制御手段とを備える。【００２９】
本発明の情報記録装置によれば、例えば、ドライブ又はホストコンピュータのＣＰＵ（Central Processing Unit）等の制御手段の制御下で、光ピックアップ等の読出手段によって、ＲＭＤ等の管理情報がＲＭＡ等の管理情報記録エリアから読み出される。と同時に又は相前後して、制御手段の制御下で、光ピックアップ等の記録手段は、この管理情報に基づいて、記録情報をゾーンの記録単位で、第１及び第２記録トラックに沿って、第１及び第２記録層に記録する。【００３０】
本発明に係る情報記録装置によれば、２層間に跨ったゾーンの記録単位で、第１記録層及び第２記録層の夫々における、例えば内周側より記録情報が順次記録されていくので、第１記録層の記録済みの記録領域と第２記録層の記録済み記録領域とを概ね均等にすることが可能となる。【００３１】
その結果、ファイナライズ処理に掛かる時間は、例えばコンテンツ情報等の実効的な記録情報を記録する時間と概ね等しくなるため、大幅な記録時間の短縮が可能となり、ユーザの快適性の向上等に資することができるので、格段に有利である。【００３２】
本発明の情報記録装置の一の態様では、前記記録情報の記録の対象となる一のゾーンを予約（リザーブ）する予約手段を更に備え、前記制御手段は、前記予約された一のゾーンに対して、前記記録情報を記録するように、前記記録手段を制御する。【００３３】
この態様によれば、例えばインクリメンタル記録方式等の記録方式をより確実に実現することが可能である。【００３４】
本発明の情報記録装置の他の態様では、前記記録情報の記録と同時に又は相前後して、前記管理情報を更新する更新手段を更に備える。【００３５】
この態様によれば、管理情報の更新が、より頻繁に行われるので、管理情報に基づいた一のゾーンの特定をより的確に行うことが可能となる。【００３６】
本発明の情報記録装置の他の態様では、前記情報記録媒体は、前記第１記録層及び前記第２記録層において、（ｉ）前記ゾーンを複数含むデータエリアと、前記記録情報の少なくとも一部である緩衝用データを記録することで形成されると共に、前記第１記録層及び前記第２記録層に対する記録又は再生位置が未記録領域へ外れることを防止するための（ｉｉ）半径位置が固定された固定緩衝用エリア（ミドルエリア）、（ｉｉｉ）前記固定緩衝用エリアの内周側に配置され、前記データエリアに隣接して配置可能であると共に、可変長である可変緩衝用エリア（シフトミドルエリア）、（ｉｖ）リードインエリア、及び（ｖ）リードアウトエリアのうち少なくとも一つとを更に備え、前記制御手段は、前記情報記録媒体に対するファイナライズ指示に応答して、前記緩衝用データを、前記少なくとも一つを形成するように、前記記録手段を制御する。【００３７】
この態様によれば、制御手段によって、より的確に、ファイナライズ処理を行うことが可能となる。【００３８】
本発明の情報記録装置の他の態様では、前記情報記録媒体は、前記第１記録層及び前記第２記録層において、前記データエリアは、前記ゾーンに代えて又は加えてボーダーを複数含み、（ｖｉ）前記リードインエリアに代えて又は加えてボーダーイン、及び（ｖｉｉ）前記リードアウトエリアに代えて又は加えてボーダーアウトを更に備え、前記制御手段は、前記情報記録媒体に対するボーダークローズ指示に応答して、前記緩衝用データを、前記ボーダーイン及び前記ボーダーアウトのうち少なくとも一方を形成するように、前記記録手段を制御する。【００３９】
この態様によれば、制御手段によって、より的確に、ボーダークローズ処理を行うことが可能となる。【００４０】
（情報記録方法）
以下、本発明に係る情報記録方法について説明する。【００４１】
本発明の情報記録方法は上記課題を解決するために、上述した本発明の情報記録媒体（但し、その各種態様を含む）に対して、前記記録情報を、前記第１記録層及び前記第２記録層のうち少なくとも一方に記録可能な記録手段を備えた情報記録装置における情報記録方法であって、前記管理情報を前記管理情報記録領域から読み出す読出工程と、前記読み出された管理情報に基づいて前記記録情報を記録するように、前記記録手段を制御する制御工程とを備える。【００４２】
本発明の情報記録方法によれば、上述した本発明の情報記録装置が有する各種利益を享受することが可能となる。【００４３】
尚、上述した本発明の情報記録装置が有する各種態様に対応して、本発明の情報記録方法も各種態様を採ることが可能である。【００４４】
（コンピュータプログラム）
本発明の記録制御用のコンピュータプログラムは上記課題を解決するために、上述した本発明の情報記録装置（但し、その各種態様を含む）に備えられたコンピュータを制御する記録制御用のコンピュータプログラムであって、該コンピュータを、前記記録手段、前記読出手段、及び前記制御手段のうち少なくとも一部として機能させる。【００４５】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００４６】
尚、上述した本発明の情報記録装置における各種態様に対応して、本発明のコンピュータプログラムも各種態様を採ることが可能である。【００４７】
コンピュータ読取可能な媒体内のコンピュータプログラム製品は上記課題を解決するために、上述した情報記録装置（但し、その各種形態も含む）に備えられたコンピュータにより実行可能なプログラム命令を明白に具現化し、該コンピュータを、前記記録手段、前記読出手段、及び前記制御手段のうち少なくとも一部として機能させる。【００４８】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００４９】
本発明のこのような作用及び他の利得は次に説明する実施例から明らかにされる。【００５０】
以上説明したように、本発明の情報記録媒体によれば、第１記録層と、第２記録層と、ゾーンの記録単位で記録情報を記録するための管理情報が記録される管理情報記録エリアとを備える。従って、ファイナライズ処理に掛かる時間を、例えばコンテンツ情報等の実効的な記録情報を記録する時間と概ね等しくさせ、大幅な記録時間の短縮が可能となり、ユーザの快適性の向上等に資することができる。【００５１】
また、本発明の情報記録装置及び方法によれば、記録手段、読出手段及び工程、並びに、制御手段及び工程を備える。従って、当該情報記録媒体に対して、ゾーンの記録単位で、記録情報を記録していくので、ファイナライズ処理に掛かる時間は、例えばコンテンツ情報等の実効的な記録情報を記録する時間と概ね等しくなるため、大幅な記録時間の短縮が可能となり、ユーザの快適性の向上等に資することができる。【００５２】
更に、また、本発明のコンピュータプログラムによれば、コンピュータを上述した本発明の情報記録装置として機能させるので、上述した本発明の情報記録媒体に対して、より正確且つ効率的な記録動作及び領域確保動作を実現することが可能となる。
【図面の簡単な説明】
【００５３】
【図１】本発明の情報記録媒体の実施例に係る複数の記録領域を有する光ディスクの基本構造を示した概略平面図（図１（ａ））、及び該光ディスクの概略断面図と、これに対応付けられた、その半径方向における記録領域構造の図式的概念図（図１（ｂ））である。
【図２】本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した一の概念的グラフである。
【図３】本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した他の概念的グラフである。
【図４】本発明に係るゾーンを特定するための位置、及び該位置を示すアドレスの一具体例を図式的に示したデータエリアの拡大模式図である。
【図５】本発明に係る「管理情報」の一例を構成するＲＭＤに含まれるゾーン情報のデータ構造を示したテーブルである。
【図６】本発明に係るゾーンの追記可能な記録状態の一及び他の具体例を図式的に示した模式図である。
【図７】本発明に係るゾーンの追記不可能な記録状態の一及び他の具体例を図式的に示した模式図である。
【図８】本発明の情報記録装置に係る実施例における情報記録再生装置及び、ホストコンピュータの基本構成を示したブロック図である。
【図９】本発明の情報記録装置の実施例に係る情報記録再生装置による、ゾーンを記録単位とする記録動作、及びファイナライズ処理を示したフローチャートである。
【図１０】本発明の情報記録装置の実施例に係る情報記録再生装置による一の記録動作の結果、ゾーン＃１及びゾーン＃２等が記録された記録領域を図式的に示した模式図である。
【図１１】図１０に対応したゾーン情報の一の具体例を示したテーブルである。
【図１２】本発明の情報記録装置の実施例に係る情報記録再生装置による他の記録動作の結果、ゾーン＃３及びゾーン＃４等が記録された記録領域を図式的に示した模式図である。
【図１３】図１２に対応したゾーン情報の他の具体例を示したテーブルである。
【図１４】本発明の情報記録装置の実施例に係る情報記録再生装置による記録情報の記録が完了し、例えばＵＤＦブリッジファイルシステム等のファイルシステムが記録された後の記録領域を図式的に示した模式図である。
【図１５】図１４に対応したゾーン情報の他の具体例を示したテーブルである。
【図１６】本発明の情報記録装置の実施例に係る情報記録再生装置によるファイナライズ処理後の記録領域を図式的に示した模式図である。
【図１７】比較例に係るゾーンを特定するための位置、及び該位置を示すアドレスの一具体例を図式的に示したデータエリアの拡大模式図である。
【図１８】比較例に係る「管理情報」の一例を構成するＲＭＤに含まれるゾーン情報のデータ構造を示したテーブルである。
【図１９】比較例に係る情報記録再生装置による一の記録動作の結果、ゾーン＃１及びゾーン＃２が記録された記録領域を図式的に示した模式図である。
【図２０】比較例に係る情報記録再生装置による記録情報の記録が完了し、例えばＵＤＦブリッジファイルシステム等のファイルシステムが記録された後の記録領域を図式的に示した模式図である。
【図２１】比較例に係る情報記録再生装置によるファイナライズ処理後の記録領域を図式的に示した模式図である。
【図２２】本発明に係る情報記録媒体に係る他の実施例に係るゾーンを特定するための位置の具体例を図式的に示したデータエリアの拡大模式図である。
【符号の説明】
【００５４】
１０…ゾーン情報、１１…ポインタ情報、１２…ゾーン特定情報、１００…光ディスク、１０１−０（１０１−１）…リードインエリア、１０２−０（１０２−１）…データエリア、１０３−０（１０３−１）…リードアウトエリア、１０４−０（１０４−１）…ミドルエリア、１０４ｓ−０（１０４ｓ−１）…シフトミドルエリア、１０５−０（１０５−１）…ＰＣＡ、１０６−０（１０６−１）…ＲＭＡ、３００…情報記録再生装置、３０１…光ピックアップ、３０２…信号記録再生手段、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＬＢ…レーザ光
【発明を実施するための最良の形態】
【００５５】
以下、本発明を実施するための最良の形態について実施例毎に順に図面に基づいて説明する。【００５６】
（１）情報記録媒体の第１実施例
先ず、図１から図７を参照して、本発明の情報記録媒体の実施例について詳細に説明する。尚、本実施例に係る光ディスクにおいては、本願発明に係る「第１記録トラック」の一例を構成するＬ０層のトラックパスと、本願発明に係る「第２記録トラック」の一例を構成するＬ１層のトラックパスとが反対の記録方向であるオポジット方式が記録方式の一具体例として採用されている。【００５７】
（１−１）基本構成
先ず図１を参照して、本発明の情報記録媒体の実施例に係る光ディスクの基本構造について説明する。ここに、図１（ａ）は、本発明の情報記録媒体の実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００５８】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１又はリードアウトエリア１０３、データエリア１０２、並びに、ミドルエリア１０４が設けられている。そして、光ディスク１００の例えば、透明基板１０６に、Ｌ０層及びＬ１層等の記録層が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なデータ管理単位である。【００５９】
尚、本発明は、このような三つのエリアを有する光ディスクには特に限定されない。例えば、リードインエリア１０１又はリードアウトエリア１０３、並びにミドルエリア１０４が存在せずとも、以下に説明するデータ構造等の構築は可能である。また、後述するように、リードインエリア１０１又はリードアウト１０３、並びにミドルエリア１０４は更に細分化された構成であってもよい。【００６０】
本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００６１】
尚、２層型光ディスクにおけるオポジット方式による記録又は再生手順、並びに、各層におけるデータ構造については、後述される。【００６２】
（１−２）詳細構成
次に、図２及び図３を参照して、本発明の情報記録媒体の実施例に係る２層型光ディスクの詳細構成について説明する。より具体的には、図２及び図３を参照して、２層型光ディスクのデータ構造、該光ディスクの記録領域におけるＥＣＣブロックを構成する物理的セクタ番号（以下、適宜「セクタ番号」と称す）、並びに、該光ディスクのオポジット方式による記録又は再生手順について説明する。ここに、図２は、本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した一の概念的グラフである。図３は、本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した他の概念的グラフである。図４は、本発明に係るゾーンを特定するための位置、及び該位置を示すアドレスの一具体例を図式的に示したデータエリアの拡大模式図である。尚、図２から図４中の縦軸は、１６進数で表現されたセクタ番号を示し、横軸は、光ディスクの半径方向の相対的な位置を示す。【００６３】
図２に示されるように、本発明の情報記録媒体の実施例に係る２層型光ディスク１００は、図示しない透明基板に積層された２層の記録層、即ち、Ｌ０層とＬ１層とを備えて構成されている。【００６４】
具体的には、Ｌ０層には、内周側から外周側にかけて、最適記録パワーの検出（較正処理：ＯＰＣ：Optimum Power Control）のためのパワーキャリブレーションエリア１０５−０（以下適宜「ＰＣＡ：Power Calibration Area」と称す）、レコーディングマネージメントエリア１０６−０（以下適宜「ＲＭＡ：Recording Management Area」と称す）、リードインエリア１０１−０、データエリア１０２−０、及びミドルエリア１０４−０が設けられている。また、ＰＣＡ１０５−０内の矢印は、較正処理のために記録領域が消費されていく方向を示している。【００６５】
ＲＭＡ１０６−０（後述される１０６−１）においては、本発明に係る「管理情報」の一例を構成するＲＭＤ（Recording Management Data）が記録可能である。詳細には、ＲＭＡ１０６−０（１０６−１）においては、ＲＭＤが、約７００回程度追記することが可能である。【００６６】
ＲＭＤは、大別して次の４種類の各種情報を含むように構成してもよい。即ち（ｉ）当該光ディスク１００に対して、記録動作を行なった情報記録再生装置の識別番号情報、所謂、ドライブＩＤ情報（ドライブ識別情報）、（ｉｉ）ドライブＩＤによって指定された情報記録再生装置による較正処理の結果、検出された最適記録パワーの数値情報、（ｉｉｉ）未記録状態、例えばインクリメンタル記録方式等の記録方式、及び追記不可能であるファイナライズ処理が済んだ状態等を示すディスク状態情報、並びに（ｉｖ）ゾーン情報である。尚、（ｉｖ）ゾーン情報については、後述される図５において詳細に説明される。【００６７】
リードインエリア１０１−０には、コントロールデータゾーンＣＤＺが設けられている。このコントロールデータゾーンＣＤＺには、例えば記録層の数や記録トラックの方向やトラックピッチ等の各種情報が、例えばレーザ光等によってプリ記録される。【００６８】
データエリア１０２−０には、記録情報が記録可能である。特に、本実施例に係る光ディスク１００のデータエリアにおいては、記録情報が、本発明に係るゾーンの記録単位で記録可能である。尚、このゾーンについては、後述の図４において詳述される。【００６９】
ミドルエリア１０４−０は、Ｌ０層及びＬ１層に対する記録又は再生位置が未記録領域や基板外へ外れることを防止する基本機能を有するが、層間ジャンプの際に記録又は再生位置が未記録領域や基板外に外れることを防止する、言わば「ジャンプ緩衝用エリア」としての機能も有する。尚、本願発明に係る「固定緩衝用エリア」の一具体例がミドルエリア１０４−０（及び、後述されるミドルエリア１０４−１）によって構成されている。【００７０】
他方、Ｌ１層には、外周側から内周側にかけて、ミドルエリア１０４−１、データエリア１０２−１、リードアウトエリア１０３−１、ＲＭＡ１０６−１、及び、ＰＣＡ１０５−１が設けられている。より詳細には、ＰＣＡ１０５−０（１０５−１）、及びＲＭＡ１０６−０（１０６−１）を合わせて「Information Area」と称しても良い。また、上述したリードインエリア１０１−０（１０１−１）、データエリア１０２−０（１０２−１）、及びミドルエリア１０４−０（１０４−１）を合わせて「R-Information Area」と称しても良い。【００７１】
特に、本実施例に係る光ディスク１００においては、図３に示されるように、例えばインクリメンタル（Incremental）記録方式等において、記録情報のデータ量が光ディスクの全記録容量より比較的に少ない場合、データエリア１０２−０（１０２−１）の外周端を内周側に配置させるように構成してもよい。この場合、データエリア１０２−０（１０２−１）の外周端から外周側に向かう方向に、シフトミドルエリア１０４ｓ−０（１０４ｓ−１）を備えて構成してもよい。尚、本願発明に係る「可変緩衝用エリア」の一具体例がこのシフトミドルエリア１０４ｓ−０（１０４ｓ−１）、言い換えるとＳｈｉｆｔｅｄミドルエリアによって構成されている。【００７２】
以上のように２層型光ディスク１００は構成されているので、該光ディスク１００の記録又は再生の際には、後述される本発明の情報記録装置の一具体例に係る情報記録再生装置の光ピックアップ等によって、レーザ光ＬＢは、図示しない基板の側から、即ち、図２及び図３中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００７３】
本発明の情報記録媒体の実施例に係る２層型光ディスクの記録又は再生手順として、オポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図２及び図３中の矢印の右方向へ移動するのとは逆に、Ｌ１層においては、光ピックアップが外周側から内周側へ向かって、即ち、図２及び図３中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。【００７４】
具体的には、図２のグラフ部分において示されるように、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が「０２ＦＦＦＦｈ」のリードインエリア１０１−０の終了位置（図２中のＡ地点を参照）、セクタ番号が「０３００００ｈ」のデータエリア１０２−０の開始位置（図２中のＢ地点を参照）、セクタ番号が「１ＡＦＦＦＦｈ」のデータエリア１０２−０の終了位置（以下、適宜、Ｌ０層の「折り返し点」と称す：図２中のＣ地点を参照）に順次アクセスして、緩衝の役目を果たすミドルエリア１０４−０へと移動されることによって、Ｌ０層における記録又は再生が行われる。尚、本実施例において、「３００００ｈ」等の末尾の「ｈ」とは１６進数で表現されていることを示す。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が「Ｅ５００００ｈ」のデータエリア１０２−１の開始位置（以下、適宜、Ｌ１層の「折り返し点」と称す：図２中のＤ地点を参照）、セクタ番号が「ＦＣＦＦＥＦｈ」のデータエリア１０２−１の終了位置（図２中のＥ地点を参照）に順次アクセスして、リードアウトエリア１０３−１へと移動されることによって、Ｌ１層における記録又は再生が行われる。【００７５】
以上説明したＬ０層とＬ１層とにおけるセクタ番号はすべて、１６進数における１５の補数の関係にある。より具体的には、例えば、Ｌ０層における折り返し点（セクタ番号「１ＡＦＦＦＦｈ」）とＬ１層における折り返し点（セクタ番号「Ｅ５００００ｈ」）は１５の補数の関係にある。形式的には、「１ＡＦＦＦＦｈ」の補数は、１６進数のセクタ番号「１ＡＦＦＦＦｈ」を２進数「０００１１０１０１１１１１１１１１１１１１１１１」に変換してからビット反転（インバート：invert）「１１１００１０１００００００００００００００００」させ、１６進数「Ｅ５００００ｈ」に再変換させることによって求められる。【００７６】
よって、コンテンツ等の記録情報は、例えば、Ｌ０層のデータエリア１０２−０のセクタ番号「０３００００ｈ」から「１ＡＦＦＦＦｈ」及びＬ１層のデータエリア１０２−１のセクタ番号「Ｅ５００００ｈ」から「ＦＣＦＦＥＦｈ」において、光ピックアップが連続して移動されると同時に記録又は再生される。【００７７】
以上説明した物理的セクタ番号に対して、論理ブロックアドレス（ＬＢＡ：Logical Block Address）が、１対１に割り付けられている。より具体的には、例えば、セクタ番号「０３００００ｈ」には「００００００」ＬＢＡが対応し、セクタ番号「１ＡＦＦＦＦｈ」には、「１７ＦＦＦＦ」ＬＢＡが対応する。また、セクタ番号「Ｅ５００００ｈ」には、「１８００００」ＬＢＡが対応し、セクタ番号「ＦＣＦＦＥＦｈ」には、「２ＦＦＦＥＦ」ＬＢＡが対応する。よって、例えば、ホストコンピュータは、物理的セクタ番号に意識することなく、例えば、ファイルシステムによって管理された論理ブロックアドレスに従って記録及び再生動作を行うことが可能となる。【００７８】
特に、本実施例に係る光ディスク１００のデータエリア１０２−０及び１０２−１においては、図４に示されるように、２層間に跨ったゾーンを備えて構成されている。尚、本実施例においては、データエリア１０２−０（１０２−１）に備えられて構成される複数のゾーンを「ゾーン＃ｎ」（但し、「ｎ」は自然数）として表現する。【００７９】
本実施例に係るゾーン＃ｎは、次の４点によって特定することが可能である。即ち、その４点とは、（ｉ）Ｌ０層におけるゾーン＃ｎの開始位置を示す地点Ｐｎ１（セクタ番号：Ｘｎ１）、（ｉｉ）Ｌ０層におけるゾーン＃ｎの終了位置を示す地点Ｐｎ２（セクタ番号：Ｘｎ２）、（ｉｉｉ）当該ゾーン＃ｎにおいて、本発明に係る記録済み領域と未記録領域との境界位置を示す地点Ｐｎ３（セクタ番号：Ｘｎ３）、及び（ｉｖ）Ｌ１層におけるゾーン＃ｎの終了位置を示す地点Ｐｎ４（セクタ番号：Ｘｎ４）であるように構成してもよい。【００８０】
詳細には、地点Ｐｎ１の内周側、及び、Ｌ１層におけるゾーンの開始位置を示す地点Ｆ（このＦ点を示すアドレスは、当該ゾーンにおける地点Ｐｎ２を示すアドレスと補数関係にあるようにしてもよい）の外周側には、ＢＳＧＡ（Block SYNC Guard Area）が備えられて構成されていてもよい。ここに、「ＢＳＧＡ」とは、後述される情報記録再生装置によって、例えばＥＣＣブロック単位で記録情報を正確に読み出す際の各種サーボを的確に実現するための同期信号（所謂、第１ＳＹ０信号）が記録された記録領域である。また、本発明に係る境界位置は、ゾーン＃ｎ内において、Ｌ０層又はＬ１層において存在することが可能である。更に、また、境界位置は、記録済み位置を示してもよいし、未記録領域であり、これから記録可能である位置、所謂、ＮＷＡ（Next Writable Address）によって特定される位置を示すようにしてもよい。尚、本発明に係る「境界アドレス」の一具体例が、ＮＷＡによって構成されている。このＮＷＡは、例えばセクタ番号等によって表現可能である。【００８１】
本発明に係る「管理情報」の一例を構成するＲＭＤは、ゾーン＃ｎを特定するために、上述したセクタ番号Ｘｎ１からＸｎ４を示す情報を、ゾーン情報として含む。【００８２】
ここで、図５を参照して、本実施例に係るＲＭＤに含まれるゾーン情報のデータ構造については、詳細に説明する。ここに、図５は、本発明に係る「管理情報」の一例を構成するＲＭＤに含まれるゾーン情報のデータ構造を示したテーブルである。尚、図５において、１列目は、各種情報の内容を示し、２列目は、バイト番号を示し、３列目は、各種情報の値を示す。【００８３】
図５に示されるように、ＲＭＤに含まれるゾーン情報１０は、（ｉ）光ディスク１００において、現在、記録を開始することが可能な最大で３つの地点を示すポインタ情報１１、及び（ｉｉ）ゾーンを特定するゾーン特定情報１２を備えて構成されている。詳細には、ＲＭＤに含まれるゾーン情報のデータ量は、「２０４８バイト（Ｂｙｔｅｓ）」であるように構成してもよい。【００８４】
ポインタ情報１１は、本発明に係るゾーンの記録状態の一の具体例である「不認識状態」のゾーンを示すゾーン番号１１ａ、本発明に係るゾーンの記録状態の他の具体例である「第１の予約可能状態」のゾーンを示すゾーン番号１１ｂ、及び、本発明に係るゾーンの記録状態の他の具体例である「第２の予約可能状態」のゾーンを示すゾーン番号１１ｃを備えて構成されている。【００８５】
ここで、図６及び図７を参照して、本発明に係るゾーンの記録状態の具体例について詳細に説明する。ここに、図６は、本発明に係るゾーンの追記可能な記録状態の一及び他の具体例を図式的に示した模式図である。図７は、本発明に係るゾーンの追記不可能な記録状態の一及び他の具体例を図式的に示した模式図である。【００８６】
図６（ａ）に示されるように、本発明に係るゾーンの追記可能な記録状態（この状態を適宜「オープンな記録状態」と称す）の一の具体例である「不認識状態」のゾーンにおいては、当該ゾーンの開始位置は、後述される情報記録装置によって認識可能である。また、当該ゾーンの開始位置と、ＮＷＡが示す記録情報の記録をすることが可能な位置とは一致している。言い換えると、例えば論理的なブロック単位で記録情報のデータ量を表現可能であるＬＲＡ（Last Recorded Address）は、「０」である。従って当該ゾーンにおいては、記録情報は記録されていなく、当該ゾーンのデータ量は、「０」である。他方、当該ゾーンの終了位置は、定義されていなく、情報記録装置によって認識不可能である。【００８７】
図６（ｂ）に示されるように、本発明に係るゾーンの追記可能な記録状態の他の具体例である「不完全状態」のゾーンにおいては、当該ゾーンの開始位置は、情報記録装置によって認識可能である。また、当該ゾーンの開始位置と、ＮＷＡが示す記録情報の記録をすることが可能な位置とは異なっている。言い換えると、ＬＲＡの値によって、当該ゾーンのデータ量を示すことが可能である。他方、当該ゾーンの終了位置は、定義されていなく、情報記録装置によって認識不可能である。【００８８】
図６（ｃ）に示されるように、本発明に係るゾーンの追記可能な記録状態の他の具体例であるＬ０層及びＬ１層における「全体的に予約可能状態」のゾーンにおいては、当該ゾーンの開始位置は、情報記録装置によって認識可能である。また、当該ゾーンの開始位置と、ＮＷＡが示す記録情報の記録をすることが可能な位置とは一致している。言い換えると、例えば論理的なブロック単位で記録情報のデータ量を表現可能であるＬＲＡ（Last Recorded Address）は、「０」である。従って当該ゾーンにおいては、記録情報は記録されていなく、当該ゾーンのデータ量は、「０」である。他方、当該ゾーンの終了位置は、定義されており、情報記録装置によって認識可能である。【００８９】
図６（ｄ）に示されるように、本発明に係るゾーンの追記可能な記録状態の他の具体例であるＬ０層及びＬ１層における「部分的に予約可能状態」のゾーンにおいては、当該ゾーンの開始位置は、情報記録装置によって認識可能である。また、当該ゾーンの開始位置と、ＮＷＡが示す記録情報の記録をすることが可能な位置とは異なっている。言い換えると、ＬＲＡの値によって、当該ゾーンのデータ量を示すことが可能である。他方、当該ゾーンの終了位置は、定義されており、情報記録装置によって認識可能である。【００９０】
図７（ａ）に示されるように、本発明に係るゾーンの追記不可能な記録状態（この状態を適宜「クローズドな記録状態」と称す）の一の具体例であるＬ０層及びＬ１層における「全体的に予約不可能状態」のゾーンにおいては、当該ゾーンの開始位置は、情報記録装置によって認識可能である。また、当該ゾーンにおいては、ＮＷＡは存在しない。また、ＬＲＡは、「０」である。従って当該ゾーンにおいては、記録情報は記録されていなく、当該ゾーンのデータ量は、「０」である。他方、当該ゾーンの終了位置は、定義されており、情報記録装置によって認識可能である。【００９１】
図７（ｂ）に示されるように、本発明に係るゾーンの追記不可能な記録状態の他の具体例であるＬ０層及びＬ１層における「部分的に予約不可能状態」のゾーンにおいては、当該ゾーンの開始位置は、情報記録装置によって認識可能である。また、当該ゾーンにおいては、ＮＷＡは存在しない。また、ＬＲＡの値によって、当該ゾーンのデータ量を示すことが可能である。他方、当該ゾーンの終了位置は、定義されており、情報記録装置によって認識可能である。【００９２】
図７（ｃ）に示されるように、本発明に係るゾーンの追記不可能な記録状態の他の具体例であるＬ０層及びＬ１層における「完全状態」のゾーンにおいては、当該ゾーンの開始位置は、情報記録装置によって認識可能である。また、当該ゾーンにおいては、ＮＷＡは存在しない。また、ＬＲＡの値と、当該ゾーンのデータ量とは一致している。他方、当該ゾーンの終了位置は、定義されており、情報記録装置によって認識可能である。【００９３】
再び、図５に戻る。前述したように、光ディスク１００において、現在、記録を開始することが可能な最大で３つの地点を示すために、ＲＭＤに含まれるゾーン情報１０は、ポインタ情報１１として、次の３つの情報を備えて構成されている。即ち、（ｉ）「不認識状態」のゾーンを示すゾーン番号１１ａ、（ｉｉ）「第１の予約可能状態」のゾーンを示すゾーン番号１１ｂ、及び（ｉｉｉ）「第２の予約可能状態」のゾーンを示すゾーン番号１１ｃの情報を備えて構成されている。詳細には、ポインタ情報１１は、バイト番号が「０から５」のフィールドに記録可能である。【００９４】
より詳細には、バイト番号が「０から１」、即ち、最初の２バイトのフィールドには、「不認識状態」のゾーンを示すゾーン番号１１ａが記録可能である。バイト番号が「２から３」、即ち、次の２バイトのフィールドには、「第１の予約可能状態」のゾーンを示すゾーン番号１１ｂが記録可能である。バイト番号が「４から５」、即ち、更に、次の２バイトのフィールドには、「第２の予約可能状態」のゾーンを示すゾーン番号１１ｃが記録可能である。【００９５】
加えて、前述したように、光ディスク１００において、複数のゾーンのうち一のゾーンを特定するために、ＲＭＤに含まれるゾーン情報１０は、ゾーン特定情報１２を備えて構成されている。詳細には、ゾーン特定情報１２は、バイト番号が「１６から２０４７」のフィールドに記録可能である。【００９６】
より詳細には、バイト番号が「１６から１９」、即ち、４バイトのデータ量を保持するフィールドには、Ｌ０層におけるゾーン＃１の開始位置を示す地点Ｐ１１のセクタ番号である「Ｘ１１」が記録可能である。尚、バイト番号が「６から１５」のフィールドは予備とするようにしてもよい。バイト番号が「２０から２３」、即ち、４バイトのデータ量を保持するフィールドには、Ｌ０層におけるゾーン＃１の終了位置を示す地点Ｐ１２のセクタ番号である「Ｘ１２」が記録可能である。バイト番号が「２４から２７」、即ち、４バイトのデータ量を保持するフィールドには、当該ゾーン＃１において、境界位置を示す地点Ｐ１３のセクタ番号である「Ｘ１３」が記録可能である。バイト番号が「２８から３１」、即ち、４バイトのデータ量を保持するフィールドには、Ｌ１層におけるゾーン＃１の終了位置を示す地点Ｐ１４のセクタ番号である「Ｘ１４」が記録可能である。【００９７】
以下、同様にして、１６バイトの単位で、複数のゾーンのうちの一のゾーンを特定可能であり、一般化すると、以下のようになる。但し、「ｎ」は自然数である。【００９８】
即ち、バイト番号が「１６ｎから１６ｎ＋３」、即ち、４バイトのデータ量を保持するフィールドには、Ｌ０層におけるゾーン＃ｎの開始位置を示す地点Ｐｎ１のセクタ番号である「Ｘｎ１」が記録可能である。バイト番号が「１６ｎ＋４から１６ｎ＋７」、即ち、４バイトのデータ量を保持するフィールドには、Ｌ０層におけるゾーン＃ｎの終了位置を示す地点Ｐｎ２のセクタ番号である「Ｘｎ２」が記録可能である。バイト番号が「１６ｎ＋８から１６ｎ＋１１」、即ち、４バイトのデータ量を保持するフィールドには、当該ゾーン＃ｎにおいて、境界位置を示す地点Ｐｎ３のセクタ番号である「Ｘｎ３」が記録可能である。バイト番号が「１６ｎ＋１２から１６ｎ＋１５」、即ち、４バイトのデータ量を保持するフィールドには、Ｌ１層におけるゾーン＃ｎの終了位置を示す地点Ｐｎ４のセクタ番号である「Ｘｎ４」が記録可能である。【００９９】
（２）情報記録装置の第１実施例
次に、図８から図１６を参照して、本発明の情報記録装置の実施例の構成及び動作について詳細に説明する。特に、本実施例は、本発明に係る情報記録装置を光ディスク用の情報記録再生装置に適用した例である。【０１００】
（２−１）基本構成
先ず、図８を参照して、本発明の情報記録装置に係る実施例における情報記録再生装置３００及び、ホストコンピュータ４００の基本構成について説明する。ここに、図８は、本発明の情報記録装置に係る実施例における情報記録再生装置及び、ホストコンピュータの基本構成を示したブロック図である。尚、情報記録再生装置３００は、光ディスク１００に記録データを記録する機能と、光ディスク１００に記録された記録データを再生する機能とを備える。【０１０１】
図８を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。【０１０２】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。【０１０３】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【０１０４】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０１が、データ入出力制御手段３０８、及びバス３０９を介して、直接情報記録再生装置３００を制御することによって、外部ネットワークと通信可能となるように構成してもよい。【０１０５】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として第１のパワーで照射し、記録時には書き込み光として第２のパワーで且つ変調させながら照射する。【０１０６】
信号記録再生手段３０２は、光ピックアップ３０１とスピンドルモータ３０６とを制御することで光ディスク１００に対して記録再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、ＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「記録手段」の一例を構成する。【０１０７】
ＣＰＵ（ドライブ制御手段）３０５は、バス３０９を介して、各種制御手段に指示を行うことで、情報記録再生装置３００全体の制御を行う。また、ＣＰＵ３０５が動作するためのソフトウェア又はファームウェアは、メモリ３０７に格納されている。特に、ＣＰＵ３０５は、本発明に係る「制御手段」の一例を構成する。【０１０８】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。【０１０９】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１１０】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。【０１１１】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【０１１２】
特に、操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【０１１３】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【０１１４】
（２−２）動作原理
次に、図９から図１６に加えて前述した図８を適宜参照して、本発明の情報記録装置の実施例に係る情報記録再生装置における動作原理について説明する。ここに、図９は、本発明の情報記録装置の実施例に係る情報記録再生装置による、ゾーンを記録単位とする記録動作、及びファイナライズ処理を示したフローチャートである。図１０は、本発明の情報記録装置の実施例に係る情報記録再生装置による一の記録動作の結果、ゾーン＃１及びゾーン＃２等が記録された記録領域を図式的に示した模式図である。図１１は、図１０に対応したゾーン情報の一の具体例を示したテーブルである。図１２は、本発明の情報記録装置の実施例に係る情報記録再生装置による他の記録動作の結果、ゾーン＃３及びゾーン＃４等が記録された記録領域を図式的に示した模式図である。図１３は、図１２に対応したゾーン情報の他の具体例を示したテーブルである。図１４は、本発明の情報記録装置の実施例に係る情報記録再生装置による記録情報の記録が完了し、例えばＵＤＦブリッジファイルシステム等のファイルシステムが記録された後の記録領域を図式的に示した模式図である。図１５は、図１４に対応したゾーン情報の他の具体例を示したテーブルである。図１６は、本発明の情報記録装置の実施例に係る情報記録再生装置によるファイナライズ処理後の記録領域を図式的に示した模式図である。尚、上述した複数の図面において、共通のセクタ番号や、ゾーン番号等が同一の場合、同一の符号を付し、それらの説明は適宜省略する。【０１１５】
図９に示されるように、光ディスク１００が装着されると、ＣＰＵ３０５等の制御手段の制御下で、光ピックアップ３０１や信号記録再生手段３０２等の読出手段によって、初期動作として、ＲＭＤ等の管理情報が取得される（ステップＳ１０１）。【０１１６】
次に、ＣＰＵ３０５等の制御手段の制御下で、取得されたＲＭＤ等の管理情報に基づいて、未記録状態の光ディスク１００であるか否かが判定される（ステップＳ１０２）。ここで、光ディスク１００が未記録状態である場合（ステップＳ１０２：Ｙｅｓ）、予め定められた初期状態のＲＭＤが、ＲＭＡ１０６−０（１０６−１）に記録される（ステップＳ１０３）。他方、ステップＳ１０２の判定の結果、光ディスク１００が未記録状態でない場合（ステップＳ１０２：Ｎｏ）、ＲＭＡ１０６−０（１０６−１）から、最新のＲＭＤが取得される。【０１１７】
次に、ＣＰＵ３０５等の制御手段の制御下で、ゾーンの記録状態が変更されたか否かが判定される（ステップＳ１０５）。詳細には、所定のゾーンに対する記録に際して、所定のゾーンを「全体的に予約可能状態（図６（ｃ）参照）」又は「部分的に予約可能状態（図６（ｄ）参照）」にするために、「RESERVE TRACK/RZONE command」が、例えばホストコンピュータ等により発せされたか否かが判定される。或いは、所定のゾーンを「全体的に予約不可能状態（図７（ａ）参照）」又は「部分的に予約不可能状態（図７（ｂ）参照）」にするために、「CLOSE TRACK/RZONE/SESSION/BORDER command」が、例えばホストコンピュータ等により発せされたか否かが判定される。【０１１８】
ここで、ゾーンの記録状態が変更された場合（ステップＳ１０５：Ｙｅｓ）、更新されたＲＭＤがＲＭＡ１０６−０（１０６−１）に記録される（ステップＳ１０６）。他方、ゾーンの記録状態が変更されない場合（ステップＳ１０５：Ｎｏ）、ステップＳ１０６は省略される。【０１１９】
次に、ＣＰＵ３０５等の制御手段の制御下で、ゾーンの記録単位で、記録情報を記録するか否かが判定される（ステップＳ１０７）。ここで、ゾーンの記録単位で、記録情報を記録する場合（ステップＳ１０７：Ｙｅｓ）、ＣＰＵ３０５等の制御手段の制御下で、所望のゾーンに対して、例えばインクリメンタル記録方式によって記録動作が行なわれる（ステップＳ１０８）。詳細には、例えば「WRITE command」が発せられ、記録動作が行われる度に、更新されたＲＭＤがＲＭＡ１０６−０（１０６−１）に記録されるように構成してもよい。他方、ゾーンの記録単位で、記録情報を記録しない場合（ステップＳ１０７：Ｎｏ）、ステップＳ１０８は、省略される。【０１２０】
次に、ＣＰＵ３０５等の制御手段の制御下で、記録情報を再生するか否かが判定される（ステップＳ１０９）。ここで、記録情報を再生する場合（ステップＳ１０９：Ｙｅｓ）、ＣＰＵ３０５等の制御手段の制御下で、再生動作が行なわれる（ステップＳ１１０）。他方、記録情報を再生しない場合（ステップＳ１０９：Ｎｏ）、ステップＳ１１０は、省略される。【０１２１】
次に、ＣＰＵ３０５等の制御手段の制御下で、ファイナライズ処理を行うか否かが判定される（ステップＳ１１１）。ここで、ファイナライズ処理を行わない場合（ステップＳ１１１：Ｎｏ）、前述したステップＳ１０５に戻る。【０１２２】
以上のようにして、上述したステップＳ１０５からステップＳ１１５までが繰り返されることによって、ゾーンの記録単位による記録動作、又は記録情報の再生動作の一連の処理が繰り返される。【０１２３】
より具体的には、ゾーンの記録単位による一の記録動作の結果、図１０に示されるように、データエリア１０２−０及び１０２−１において、「全体的に予約可能状態（図６（ｃ））参照」である「ゾーン＃１」、及び「完全状態（図７（ｃ））参照」である「ゾーン＃２」が記録されている。また、「ゾーン＃２」の外周側には、「不認識状態（図６（ａ）参照）」である「ゾーン＃３」が記録されている。尚、図１０中（後述される図１２中、図１４中、図１６中、図１９中、図２０中、及び図２１中についても同様）、「斑点で示された領域」は、本発明に係る予約が行われた領域を示し、「右斜め斜線で示された領域」は、記録情報が記録済みであることを示す。【０１２４】
また、図１１によって、この図１０に示された記録領域に対応したゾーン情報１０の一の具体例が示されている。より詳細には、前述したように、光ディスク１００において、現在、記録を開始することが可能な最大で３つの地点を示すために、ＲＭＤに含まれるゾーン情報１０は、ポインタ情報１１として、次の３つの情報を備えて構成されている。即ち、（ｉ）「不認識状態」のゾーンを示すゾーン番号１１ａである「＃３」、（ｉｉ）「第１の予約可能状態」のゾーンを示すゾーン番号１１ｂである「＃１」、及び（ｉｉｉ）「第２の予約可能状態」のゾーンを示すゾーン番号１１ｃである「０」の情報を備えて構成されている。尚、情報の値が「０」として記録されている場合、この情報は、存在しない、又は定義されていないように構成してもよい。【０１２５】
更に、光ディスク１００において、全体的に予約可能状態である「ゾーン＃１」、完全状態である「ゾーン＃２」、及び不認識状態である「ゾーン＃３」を特定するために、ＲＭＤに含まれるゾーン情報１０は、ゾーン特定情報１２を備えて構成されている。【０１２６】
全体的に予約可能状態である「ゾーン＃１」について、より詳細には、バイト番号が「１６から１９」のフィールドには、Ｌ０層におけるゾーン＃１の開始位置を示す地点Ｐ１１のセクタ番号である「Ｘ１１」が記録されている。バイト番号が「２０から２３」のフィールドには、Ｌ０層におけるゾーン＃１の終了位置を示す地点Ｐ１２のセクタ番号である「Ｘ１２」が記録されている。バイト番号が「２４から２７」のフィールドには、当該ゾーン＃１において、境界位置を示す地点Ｐ１１のセクタ番号、言い換えるとＮＷＡによって示されるセクタ番号である「Ｘ１１」が記録されている。尚、この「Ｘ１１」によって、記録を開始することが可能な最大で３つの地点のうちの１つ目が示されている。バイト番号が「２８から３１」のフィールドには、Ｌ１層におけるゾーン＃１の終了位置を示す地点Ｐ１４のセクタ番号である「Ｘ１４」が記録されている。【０１２７】
完全状態である「ゾーン＃２」について、より詳細には、バイト番号が「３２から３５」のフィールドには、Ｌ０層におけるゾーン＃２の開始位置を示す地点Ｐ２１のセクタ番号である「Ｘ２１」が記録されている。バイト番号が「３６から３９」のフィールドには、Ｌ０層におけるゾーン＃２の終了位置を示す地点Ｐ２２のセクタ番号である「Ｘ２２」が記録されている。バイト番号が「４０から４３」のフィールドには、当該ゾーン＃２において、境界位置を示す地点Ｐ２３（地点Ｐ２４と一致）のセクタ番号、言い換えるとＮＷＡによって示されるセクタ番号である「Ｘ２４」が記録されている。バイト番号が「４４から４７」のフィールドには、Ｌ１層におけるゾーン＃２の終了位置を示す地点Ｐ２４のセクタ番号である「Ｘ２４」が記録されている。【０１２８】
不認識状態である「ゾーン＃３」について、より詳細には、バイト番号が「４８から５１」のフィールドには、Ｌ０層におけるゾーン＃３の開始位置を示す地点Ｐ３１のセクタ番号である「Ｘ３１」が記録されている。バイト番号が「５２から５５」のフィールドには、Ｌ０層におけるゾーン＃３の終了位置を示す地点Ｐ３２は、定義されていないので、情報の値には「０」が記録されている。バイト番号が「５６から５９」のフィールドには、当該ゾーン＃３において、境界位置を示す地点Ｐ３３（地点Ｐ３１と一致）のセクタ番号、言い換えるとＮＷＡによって示されるセクタ番号である「Ｘ３１」が記録されている。尚、この「Ｘ３１」によって、記録を開始することが可能な最大で３つの地点のうちの２つ目が示されている。バイト番号が「６０から６３」のフィールドには、Ｌ１層におけるゾーン＃３の終了位置を示す地点Ｐ２４のセクタ番号である「Ｘ２４」が記録されている。【０１２９】
以下のゾーン特定情報１２における各種情報の値のフィールドには、「０」が記録されている。【０１３０】
再び、図９に戻り、上述したステップＳ１０５からステップＳ１１５までが繰り返されることによって、ゾーンの記録単位による他の記録動作等の一連の処理が繰り返される。【０１３１】
より具体的には、ゾーンの記録単位による他の記録動作の結果、図１２に示されるように、データエリア１０２−０及び１０２−１において、「部分的に予約可能状態（図６（ｄ））参照」である「ゾーン＃３」、及び「不完全状態（図６（ｂ））参照」である「ゾーン＃４」が更に記録されている。【０１３２】
また、図１３によって、この図１２に示された記録領域に対応したゾーン情報１０の一の具体例が示されている。より詳細には、前述したように、光ディスク１００において、現在、記録を開始することが可能な最大で３つの地点を示すために、ＲＭＤに含まれるゾーン情報１０は、ポインタ情報１１として、次の３つの情報を備えて構成されている。即ち、（ｉ）「不完全状態」のゾーンを示すゾーン番号１１ａである「＃４」、（ｉｉ）「第１の予約可能状態」のゾーンを示すゾーン番号１１ｂである「＃１」、及び（ｉｉｉ）「第２の予約可能状態」のゾーンを示すゾーン番号１１ｃである「３」の情報を備えて構成されている。【０１３３】
更に、光ディスク１００において、部分的に予約可能状態である「ゾーン＃３」、及び不完全状態である「ゾーン＃４」を特定するために、ＲＭＤに含まれるゾーン情報１０は、ゾーン特定情報１２を更に備えて構成されている。【０１３４】
部分的に予約可能状態である「ゾーン＃３」について、より詳細には、バイト番号が「４８から５１」のフィールドには、Ｌ０層におけるゾーン＃３の開始位置を示す地点Ｐ３１のセクタ番号である「Ｘ３１」が記録されている。バイト番号が「５２から５５」のフィールドには、Ｌ０層におけるゾーン＃３の終了位置を示す地点Ｐ３２のセクタ番号である「Ｘ３２」が記録されている。バイト番号が「５６から５９」のフィールドには、当該ゾーン＃３において、境界位置を示す地点Ｐ３３のセクタ番号、言い換えるとＮＷＡによって示されるセクタ番号である「Ｘ３３」が記録されている。尚、この「Ｘ３３」によって、記録を開始することが可能な最大で３つの地点のうちの２つ目が示されている。（1つ目は、前述した「Ｘ１１」）。バイト番号が「６０から６３」のフィールドには、Ｌ１層におけるゾーン＃３の終了位置を示す地点Ｐ３４のセクタ番号である「Ｘ３４」が記録されている。【０１３５】
不完全状態である「ゾーン＃４」について、より詳細には、バイト番号が「６４から６７」のフィールドには、Ｌ０層におけるゾーン＃４の開始位置を示す地点Ｐ４１のセクタ番号である「Ｘ４１」が記録されている。バイト番号が「６８から７１」のフィールドには、Ｌ０層におけるゾーン＃４の終了位置を示す地点Ｐ４２は定義されていないので、「０」が記録されている。バイト番号が「７２から７５」のフィールドには、当該ゾーン＃４において、境界位置を示す地点Ｐ４３のセクタ番号、言い換えるとＮＷＡによって示されるセクタ番号である「Ｘ４３」が記録されている。尚、この「Ｘ４３」によって、記録を開始することが可能な最大で３つの地点のうちの３つ目が示されている。バイト番号が「７６から７９」のフィールドには、Ｌ１層におけるゾーン＃４の終了位置を示す地点Ｐ４４は定義されていないので、「０」が記録されている。【０１３６】
再び、図９に戻り、ゾーンの記録単位による記録動作等の一連の処理の完了後、上述したステップＳ１１１の判定の結果、ファイナライズ処理を行う場合（ステップＳ１１１：Ｙｅｓ）、「ゾーン＃１」において、例えばＵＤＦブリッジファイルシステム等のファイルシステムが記録される（ステップＳ１１２）。より詳細には、図１４及び図１５において示されるように、「ゾーン＃１」は、地点Ｐ１１（セクタ番号：Ｘ１１）、地点Ｐ１２（セクタ番号：Ｘ１２）、地点Ｐ１３（セクタ番号：Ｘ１３）、及び地点Ｐ１４（セクタ番号：Ｘ１４）によって特定される。尚、地点Ｐ１３と、地点Ｐ１４とは一致している。【０１３７】
更に、ゾーンの記録単位による記録動作等の一連の処理の完了しているので、「ゾーン＃２」から「ゾーン＃ｎ」において、記録情報が記録されている。より詳細には、図１４及び図１５において示されるように、「ゾーン＃２」は、地点Ｐ２１（セクタ番号：Ｘ２１）、地点Ｐ２２（セクタ番号：Ｘ２２）、地点Ｐ２３（セクタ番号：Ｘ２３）、及び地点Ｐ２４（セクタ番号：Ｘ２４）によって特定される。尚、地点Ｐ２３と、地点Ｐ２４とは一致している。同様にして、「ゾーン＃ｎ」は、地点Ｐｎ１（セクタ番号：Ｘｎ１）、地点Ｐｎ２（セクタ番号：Ｘｎ２）、地点Ｐｎ３（セクタ番号：Ｘｎ３）、及び地点Ｐｎ４（セクタ番号：Ｘｎ４）によって特定される。【０１３８】
更に、加えて、図１５において示されるように、光ディスク１００において、現在、記録を開始することが可能な最大で３つの地点を示すために、ＲＭＤに含まれるゾーン情報１０は、ポインタ情報１１として、次の３つの情報を備えて構成されている。即ち、（ｉ）「不完全（又は不認識）状態」の最外周に位置するゾーンを示す「＃ｎ」、（ｉｉ）「第１の予約可能状態」のゾーンを示すゾーン番号１１ｂである「０」、及び（ｉｉｉ）「第２の予約可能状態」のゾーンを示すゾーン番号１１ｃである「０」の情報を備えて構成されている。【０１３９】
再び、図９に戻り、ステップＳ１１２に続いて、上述した図１５において説明した最新のゾーン情報１０を含むＲＭＤがＲＭＡ１０６−０（１０６−１）に記録される（ステップＳ１１３）。【０１４０】
次に、記録情報の一部を構成する緩衝用データが、ファイナライズ処理のために、記録される（ステップＳ１１４）。より詳細には、図１６において示されるように、本発明に係る「可変緩衝用エリア」の一例を構成するシフトミドルエリア１０４ｓ−０（１０４ｓ−１）、リードインエリア１０１−０、及びリードアウトエリア１０３−１において記録される。尚、このファイナライズ処理のために、記録された領域は、図１６中（後述される図２１）で、横縞で示されている。【０１４１】
（３）本発明の情報記録媒体及び情報記録方法に係る実施例の作用効果の検討
次に、図１７から図２１を参照して本発明に係る情報記録媒体及び情報記録方法に係る実施例の作用効果について検討する。ここに、図１７は、比較例に係るゾーンを特定するための位置、及び該位置を示すアドレスの一具体例を図式的に示したデータエリアの拡大模式図である。図１８は、比較例に係る「管理情報」の一例を構成するＲＭＤに含まれるゾーン情報のデータ構造を示したテーブルである。図１９は、比較例に係る情報記録再生装置による一の記録動作の結果、ゾーン＃１及びゾーン＃２が記録された記録領域を図式的に示した模式図である。図２０は、比較例に係る情報記録再生装置による記録情報の記録が完了し、例えばＵＤＦブリッジファイルシステム等のファイルシステムが記録された後の記録領域を図式的に示した模式図である。図２１は、比較例に係る情報記録再生装置によるファイナライズ処理後の記録領域を図式的に示した模式図である。【０１４２】
比較例に係る光ディスク１００のデータエリア１０２−０及び１０２−１においては、図１７に示されるように、１層毎に定義されたゾーンを備えて構成されている。言い換えると、比較例に係るゾーン＃ｎは、次の２点によって特定している。即ち（ｉ）Ｌ０層及びＬ１層のうちいずれか一方である記録層におけるゾーン＃ｎの開始位置を示す地点Ｐｎ１（セクタ番号：Ｘｎ１）、及び（ｉｉ）当該記録層におけるゾーン＃ｎの終了位置を示す地点Ｐｎ２（セクタ番号：Ｘｎ２）によって特定されている。【０１４３】
従って、図１８に示されるように、比較例に係るＲＭＤのデータ構造は、本実施例と概ね同じであるが、一つのゾーン＃ｎは、８バイトのデータ量によって特定されている。より具体的には、図１９に示されるように、データエリア１０２−０において、「全体的に予約可能状態（図６（ｃ））参照」である「ゾーン＃１」、及び「完全状態（図７（ｃ））参照」である「ゾーン＃２」が記録されている。また、「ゾーン＃２」の外周側には、「不認識状態（図６（ａ）参照）」である「ゾーン＃３」が記録されている。そして、図２０に示されるように、比較例に係るゾーンの記録単位による記録動作等の一連の処理の完了後においては、「ゾーン＃１」において、例えばＵＤＦブリッジファイルシステム等のファイルシステムが記録される。更に、「ゾーン＃２」から「ゾーン＃ｎ」において、記録情報が記録されている。【０１４４】
しかしながら、比較例に係る情報記録媒体においては、図２１に示されるように、記録情報の一部を構成する緩衝用データが、ファイナライズ処理のために冗長的に記録しなければならない。より詳細には、シフトミドルエリア１０４ｓ−０（１０４ｓ−１）、リードインエリア１０１−０、及びリードアウトエリア１０３−１に記録される。加えて、比較例においては、ダミーデータ等の無駄な記録情報を、Ｌ０層のゾーン＃１からゾーン＃ｎに対向するＬ１層の記録領域において記録しなければならない。【０１４５】
このように、比較例に係る情報記録媒体においては、コンテンツ情報等の実効的な記録情報に加えて、例えばダミーデータ「Ｎｕｌｌ」等の無駄なデータを、例えばＬ０層の記録領域に対向するＬ１層の未記録の領域に記録する必要があった。何故ならば、一般のＤＶＤ−ＲＯＭドライブの再生動作時において、光ピックアップの層間フォーカスジャンプ（層間切換え）する際のトラッキングサーボが正常に制御され、ユーザデータが正常に再生されるためである。従って、実際のファイナライズ処理に掛かる時間は、コンテンツ情報等の実効的な記録情報の記録時間に加えて、無駄なデータの記録時間だけ長くなってしまう。【０１４６】
詳細には、仮に、Ｌ１層の内周側が、例えば、ダミーデータが記録されずに未記録である場合、そこに光ピックアップが突入すると、ＲＦ再生信号が無いために、トラッキングサーボがはずれて、暴走してしまうからである。具体的には、例えば、ＤＶＤ−ＲＯＭドライブの光ピックアップが、２層型光ディスクにおいて、Ｌ０層の所定のセクタ番号（例えば「Ｘ０」）からＬ１層にある目的のセクタ番号（例えば「Ｙ１」）にアクセスするために、先ず、Ｌ１層への焦点合わせ、即ち、層間フォーカスジャンプ（層間切換え）を行った場合、層間フォーカスジャンプした先のＬ１層のセクタ番号（例えば「Ｚ１」）が未記録であると、光ピックアップは、例えば、位相差法によるトラッキングサーボの制御を行うことができずに、暴走してしまうのである。より詳細には、位相差法が採用されているＤＶＤ−ＲＯＭ再生専用ドライブの光ピックアップは、プッシュプル法が採用されているＤＶＤ−Ｒにおける未記録領域に対してはトラッキングサーボの制御が殆ど又は完全に不可能である。このことが、ＤＶＤ−ＲＯＭドライブでＤＶＤ−Ｒを再生できない場合があることの一例であることも付記しておく。【０１４７】
これに対して、図１から図１６を参照して説明した本発明の情報記録媒体及び情報記録装置の実施例によれば、２層間に跨ったゾーンの記録単位で、例えばＬ０層及びＬ１層の夫々内周側より記録情報が順次記録されていくので、Ｌ０層の記録済みの記録領域とＬ１層の記録済み記録領域とを概ね均等にすることが可能となる。【０１４８】
従って、ファイナライズ処理に掛かる時間は、例えばコンテンツ情報等の実効的な記録情報を記録する時間と概ね等しくなるため、比較例と比べて大幅な記録時間の短縮が可能となり、ユーザの快適性の向上等に資することができるので、格段に有利である。より具体的には、仮に、記録情報が、光ディスクのデータ容量と比較して小さい場合、前述した図１６に示されるように、例えばシフトミドルエリア１０４ｓ−０（１０４ｓ−１）よりも外周側においては、未記録状態（即ち、ミラー状態）のままで足りる。この結果、ファイナライズ処理に掛かる時間を短縮することができるのである。【０１４９】
加えて、従来のＲＭＤと概ね同じデータ構造のＲＭＤによって、本発明に係るゾーンを特定することが可能であるので、大変好ましい。【０１５０】
（４）本発明の情報記録媒体に係る他の実施例
次に、図２２を参照して本発明に係る情報記録媒体に係る第２から第６実施例について説明する。ここに、図２２は、本発明に係る情報記録媒体に係る他の実施例に係るゾーンを特定するための位置の具体例を図式的に示したデータエリアの拡大模式図である。尚、他の実施例においては、本実施例（第１実施例）と同様に、所定地点が特定されれば、自ずと、セクタ番号等のアドレスが一意に特定されるのは自明である。【０１５１】
図２２（ａ）に示されるように、第２実施例に係るゾーン＃ｎは、次の４点によって特定することが可能である。即ち、その４点とは、（ｉ）Ｌ０層におけるゾーン＃ｎの開始位置を示す地点Ｐｎ１、（ｉｉ）Ｌ０層におけるゾーン＃ｎの終了位置を示す地点Ｐｎ２、（ｉｉｉ）当該ゾーン＃ｎにおいて、本発明に係る記録済み領域と未記録領域との境界位置を示す地点Ｐｎ３、及び（ｉｖ）Ｌ１層におけるゾーン＃ｎの開始位置を示す地点Ｐｎ５であるように構成してもよい。第２実施例は、本実施例における地点Ｐｎ４は、対向する位置にある地点Ｐｎ１より求めることができる点を利用しているともいえる。【０１５２】
図２２（ｂ）に示されるように、第３実施例に係るゾーン＃ｎは、次の２点によって特定することが可能である。即ち、その２点とは、（ｉ）Ｌ０層におけるゾーン＃ｎの開始位置を示す地点Ｐｎ１、及び（ｉｉ）当該ゾーン＃ｎにおいて、本発明に係る記録済み領域と未記録領域との境界位置を示す地点Ｐｎ３であるように構成してもよい。第３実施例は、本実施例における地点Ｐｎ２は、次のゾーン＃ｎ＋１の地点Ｐｎ１より求めることができる点を利用しているともいえる。加えて、第３実施例は、第２実施例と同様にして、本実施例における地点Ｐｎ４は、対向する位置にある地点Ｐｎ１より求めることができる点を利用しているともいえる。【０１５３】
図２２（ｃ）に示されるように、第４実施例に係るゾーン＃ｎは、次の５点によって特定することが可能である。即ち、その５点とは、（ｉ）Ｌ０層におけるゾーン＃ｎの開始位置を示す地点Ｐｎ１、（ｉｉ）Ｌ０層におけるゾーン＃ｎの終了位置を示す地点Ｐｎ２、（ｉｉｉ）当該ゾーン＃ｎにおいて、本発明に係る記録済み領域と未記録領域との境界位置を示す地点Ｐｎ３、（ｉｖ）Ｌ１層におけるゾーン＃ｎの開始位置を示す地点Ｐｎ５、（ｖ）Ｌ１層におけるゾーン＃ｎの終了位置を示す地点Ｐｎ４であるように構成してもよい。第４実施例は、第１実施例と第２実施例とを組み合わせていると言える。【０１５４】
図２２（ｄ）及び図２２（ｅ）に示されるように、第５実施例及び第６実施例においては、第１実施例及び第２実施例において、Ｌ０層とＬ１層との位置関係を逆にして、ゾーン＃ｎを構成してもよい。従って、本発明を、オポジット方式に加えてパラレル方式等の他の記録方式にも適用することが可能である。【０１５５】
上述した実施例では、情報記録媒体の一具体例として、例えば、２層型のＤＶＤ−Ｒ又はＤＶＤ＋Ｒ、或いは、ＤＶＤ−ＲＷ又はＤＶＤ＋ＲＷ等の追記型又は書き換え型光ディスクについて説明したが、本発明は、例えば、３層型等のマルチプルレイヤ型の光ディスクにも適用可能である。更に、ブルーレーザーを記録再生に用いるディスク等の他の高密度記録或いは高転送レート対応の各種情報記録媒体にも適用可能である。【０１５６】
また、上述した実施例では、情報記録装置の一具体例として、例えば、ＤＶＤ−Ｒレコーダー又はＤＶＤ＋Ｒレコーダー等の追記用の情報記録再生装置について説明したが、本発明は、例えば、ＤＶＤ−ＲＷレコーダー又はＤＶＤ＋ＲＷレコーダー等の書き換え用の情報記録再生装置に適用可能である。更に、ブルーレーザーを記録再生に用いるディスク等の他の高密度記録或いは高転送レート対応の各種情報記録媒体用の情報記録再生装置にも適用可能である。【０１５７】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、並びに記録制御用のコンピュータプログラムもまた本発明の技術的範囲に含まれるものである。
【産業上の利用可能性】
【０１５８】
本発明に係る情報記録媒体、情報記録装置及び方法、コンピュータプログラムは、例えば、ＤＶＤ等の高密度光ディスクに利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004411640.tif 000002
【図２】
0004411640.tif 000003
【図３】
0004411640.tif 000004
【図４】
0004411640.tif 000005
【図５】
0004411640.tif 000006
【図６】
0004411640.tif 000007
【図７】
0004411640.tif 000008
【図８】
0004411640.tif 000009
【図９】
0004411640.tif 000010
【図１０】
0004411640.tif 000011
【図１１】
0004411640.tif 000012
【図１２】
0004411640.tif 000013
【図１３】
0004411640.tif 000014
【図１４】
0004411640.tif 000015
【図１５】
0004411640.tif 000016
【図１６】
0004411640.tif 000017
【図１７】
0004411640.tif 000018
【図１８】
0004411640.tif 000019
【図１９】
0004411640.tif 000020
【図２０】
0004411640.tif 000021
【図２１】
0004411640.tif 000022
【図２２】
0004411640.tif 000023